(57)【要約】【課題】従来のナイロンカッタを繰出す方式の草刈り用の刃物台は、このナイロンカッタが、回転ケース内に略密封状態で収容される構造であるので、この回転ケース内に、熱がこもり、またナイロンカッタの溶着が発生する可能性があり、問題を抱えている。【構成】本発明は、取付け孔を開設した基板の上面に複数本のガイドピン、及びこのガイドピンの内側に係止山部をそれぞれ突出し、係止山部にナイロンカッタを捲装したボビンが係止される係止手段を設け、基板に取付けられるカバー体に、係止山部の挿入を許すセンター穴部と、本体部のガイドピンに設けた鍔片に嵌合される嵌合部を膨出形成し、また本体部の裏面に複数の突起を形成する構成とした草刈り・稲刈り用の刃物台であり、ナイロンカッタの溶着回避を図る。【選択図】図１
2008263854.tif 000002
【特許請求の範囲】
【請求項１】
センターに取付け孔を開設した基板には、その上面に複数本のガイドピン、及びこのガイドピンの内側に係止山部をそれぞれ突出して形成し、
この基板の係止山部には、ナイロンカッタを捲装したボビンが係止される係止手段の嵌合係止部を設け、
また前記基板に取付けられるカバー体には、前記係止山部の挿入を許すセンター穴部を中央に形成するとともに、その本体部に前記ガイドピンに設けた鍔片に嵌合される嵌合部を設け、また本体部の裏面に複数の突起を形成する構成とした草刈り・稲刈り用の刃物台。
【請求項２】
請求項１に記載の草刈り・稲刈り用の刃物台であって、
前記ガイドピンの自由端に設けた方形状の鍔片に、前記カバー体に設けた方形状の嵌合部を係脱可能に設ける構成とした草刈り・稲刈り用の刃物台。
【請求項３】
請求項１に記載の草刈り・稲刈り用の刃物台であって、
前記ガイドピンの自由端に設けた環状形状の鍔片に、前記カバー体に設けた半月状の切欠き溝でなる嵌合部を係脱可能に設ける構成とした草刈り・稲刈り用の刃物台。
【請求項４】
請求項１に記載の草刈り・稲刈り用の刃物台であって、
前記ボビン及びカバー体が基板に係止される係止手段は、係止山部の外周面に設けた凸部又は凹部でなる嵌合係止部と、この係止山部の凸部又は凹部に嵌合する前記ボビンの内周面に設けた凹部又は凸部でなる嵌合係止部と、このボビンの凹部又は凸部に嵌合する前記センター穴部の内周部の筒部に設けた凸部又は凹部でなる嵌合係止部とによる構成とした草刈り・稲刈り用の刃物台。
【請求項５】
請求項１に記載の草刈り・稲刈り用の刃物台であって、
前記ボビン及びカバー体が基板に係止される係止手段は、係止山部の外周面に設けたねじでなる嵌合係止部と、前記ボビンの内周面に設けたねじでなる嵌合係止部と、前記センター穴部の内周部の筒部に設けたねじでなる嵌合係止部とによる構成とした草刈り・稲刈り用の刃物台。
【請求項６】
請求項１に記載の草刈り・稲刈り用の刃物台であって、
前記基板に複数の穴を開口する構成とした草刈り・稲刈り用の刃物台。
【発明の詳細な説明】
【技術分野】
【０００１】
本発明は、草刈り・稲刈り用の刃物台であって、この刃物台を利用し、ナイロンカッタの磨耗時のカッタのリニューアルを図り、又はボビンの回転でリニューアルすることを可能としたことを特徴とする草刈り・稲刈り用の刃物台に関する。
【背景技術】
【０００２】
従来の草刈り・稲刈り用の刃物台及び／又はこの草刈り・稲刈り用の刃物台に着脱（取付け、取外し）される草刈り機の草刈り・稲刈り用の刃物に関して、関連する文献を説明すると、従来の刈り刃を取付ける草刈機としては、例えば、特開平１１−３３２３４７号の「草刈機」（参考文献とする）があり、この草刈機は、回転軸の先端側に、刈り刃を直接軸支するとともに、刈り刃を、ハンドルに設けた飛散防止カバーと回転受皿を介してカバーし、またこの刈り刃は、回転軸とともに回転する構造である。この草刈機は、刈り刃であり、草刈りの効率化と、植物の葉、小枝等の如く、比較的柔らかいものから、茎等の如く、硬いものまで対応可能な特徴を有する。しかし、その半面で、草刈り作業に熟練が必要であり、また危険であること、また刈り刃が高価であること、刈り刃破損時の取扱いが面倒であること等の改良点がある。
【０００３】
そして、昨今では、この刈り刃や、プラスチック製刈り刃の代替品として、例えば、線材刃物（線材刃）や、勾玉状の刃物（プラスチックブレード）が利用される状況であり、簡便、安全、交換の容易等の面で重宝されている。またボビンに捲装したナイロンカッタを、自動的に繰出す方式と、プラスチックカッタをリニューアルする方式等が利用されている。これらに関する先行文献を、下記に列挙する。
【０００４】
文献（１）は、米国特許第４，８１７，２８８号“ＣＵＴＴＩＮＧ  ＨＥＡＤ  ＦＯＲ  ＣＯＲＤ  ＴＹＰＥ  ＭＯＷＥＲ”である。この発明は、ハブを備えた回転ケース内に、ボビンと、このボビンの係止及び／又は係止解除を図る調整手段と、この調整手段の緊締及び／又は緊締解除を図るナットとでなる構造である。従って、この調整手段及びナットを介し、ボビンを回転し、このボビンに捲装したナイロンカッタの繰出しと、使用長さの調整を図ること、またこの繰出しと、使用長さの調整を、簡易な構造で達成すること等を意図する。しかし、この文献（１）は、次のような改良点がある。この構造は、ボビンが、ハブを備えた回転ケース内に略密封状態で収容される構造であり、この回転ケース内に、熱がこもり、またナイロンカッタの溶着が発生する可能性がある。
【０００５】
文献（２）は、米国特許第５，０２０，２２３号“ＳＩＭＰＬＩＦＩＥＤ  ＢＵＭＰ−ＦＥＥＤ  ＴＹＰＥ  ＣＵＴＴＩＮＧ  ＨＥＡＤ  ＡＳＳＥＭＢＬＹ  ＦＯＲ  ＦＬＥＸＩＢＬＥ  ＬＩＮＥ  ＴＲＩＭＭＥＲＳ”である。この発明は、フック挿入孔を備えた回転ケースと、この回転ケースに収容されるフックを備えた底蓋とで構成するケース内に、ボビンと、このボビンの係止及び／又は係止解除を図る調整手段と、この調整手段の緊締及び／又は緊締解除を図るスプリング、及び可動ケースとでなる構造である。従って、この調整手段、及びスプリング、可動ケースを介し、ボビンを回転し、このボビンに捲装したナイロンカッタの繰出しと、使用長さの調整を図ること、またこの繰出しと、使用長さの調整を、簡易な操作で達成すること等を意図する。しかし、この文献（２）は、前述の文献（１）と同様な改良点を抱えている。
【０００６】
文献（３）に、特開平７−４６９２５号の「動力刈払い機の回転刈刃」である。この発明は、動力刈払い機の回転軸に着脱自在に装着される円盤体（上下円盤）と、この円盤体（上下円盤間）の外周に設けられてその放射方向に開口する周回凹部と、この周回凹部に巻き付けられ、かつ前記円盤体の反回転方向に向け巻き付ける弾性コードを設けるとともに、この周回凹部に二つ折りした折部を係止する弾性コード（ナイロンカッタ）と、前記円盤体の円周方向に複数個配置され、かつ周回凹部に差渡されたピンとで構成し、繰出されたナイロンカッタが、磨耗等で短くなった場合には、ピンの係止から外れ、次のピンに係止されて（所謂、自動的に繰出されて）、カッタとして機能する構成である。従って、ナイロンカッタが摩耗しても、次のナイロンカッタが自動的に繰出されて（円盤体より突出して）、連続使用ができる。しかし、この発明は、ナイロンカッタを、二つ折して円盤体に係止する構造であり、このナイロンカッタの取付けに、手間を要すること、また下円盤を宙吊り状態で、ナイロンカッタを係止かつ捲装する取付け方法であり、同様に手間と経験を要すること等の問題を抱えている。
【０００７】
文献（４）に、特開平１１−２３５１１３号の「ナイロンカッターコード式草刈用回転刃」である。この発明は、前記の文献（３）と略同じ構造であり、また同様な問題を抱えている。
【０００８】
【特許文献１】米国特許第４，８１７，２８８号
【特許文献２】米国特許第５，０２０，２２３号
【特許文献３】特開平７−４６９２５号
【特許文献４】特開平１１−２３５１１３号
【発明の開示】
【発明が解決しようとする課題】
【０００９】
前記文献（１）、（２）は、ナイロンカッタが、回転ケース内に略密封状態で収容される構造であるので、この回転ケース内に、熱がこもり、またナイロンカッタの溶着が発生する可能性があり、問題を抱えている。
【００１０】
また前記文献（３）、（４）は、ナイロンカッタの取付けに手間及び／又は経験を要すること、また前述の文献（１）、（２）と同様に、上下円盤内に、熱がこもり、またナイロンカッタの溶着が発生することが考えられ、問題を抱えている。
【課題を解決するための手段】
【００１１】
請求項１の発明は、次の「イ」〜「ハ」の目的を意図する。
【００１２】
「イ」  ボビンを、基板に、簡易かつ迅速に着脱できる構造を提供する。
【００１３】
「ロ」  ボビン及びナイロンカッタを開放状態（カバー板の本体部の裏面に形成した複数の突起によって、カバー板と基板との間に開放状態の空間ができる）に装着し、このナイロンカッタの溶着（融着）防止が図れる構造を提供する。
【００１４】
「ハ」  溶着回避を図ることで、部品の無駄をなくし、また長期の使用と、修理の手間を皆無とすること等が図れる構造を提供する。
【００１５】
請求項１は、センターに取付け孔を開設した基板には、その上面に複数本のガイドピン、及びこのガイドピンの内側に係止山部をそれぞれ突出して形成し、
この基板の係止山部には、ナイロンカッタを捲装したボビンが係止される係止手段の嵌合係止部を設け、
また前記基板に取付けられるカバー体には、前記係止山部の挿入を許すセンター穴部を中央に形成するとともに、その本体部に前記ガイドピンに設けた鍔片に嵌合される嵌合部を設け、また本体部の裏面に複数の突起を形成する構成とした草刈り・稲刈り用の刃物台である。
【００１６】
請求項２・３の発明は、次の「ニ」、「ホ」の目的を意図する。
【００１７】
「ニ」  基板とカバー体との係脱の確実性を確保する嵌合部の構造を提供する。
【００１８】
「ホ」  請求項１の「イ」〜「ハ」の目的を達成することを意図する。
【００１９】
請求項２は、請求項１に記載の草刈り・稲刈り用の刃物台であって、
前記ガイドピンの自由端に設けた方形状の鍔片に、前記カバー体に設けた方形状の嵌合部を係脱可能に設ける構成とした草刈り・稲刈り用の刃物台である。
【００２０】
請求項３は、請求項１に記載の草刈り・稲刈り用の刃物台であって、
前記ガイドピンの自由端に設けた環状形状の鍔片に、前記カバー体に設けた半月状の切欠き溝でなる嵌合部を係脱可能に設ける構成とした草刈り・稲刈り用の刃物台である。
【００２１】
請求項４の発明は、次の「ヘ」、「ト」の目的を意図する。
【００２２】
「ヘ」  基板とカバー体との回り止めを、嵌合を介して図る構造を提供する。
【００２３】
「ト」  請求項１の「イ」〜「ハ」の目的を達成することを意図する。
【００２４】
請求項４は、請求項１に記載の草刈り・稲刈り用の刃物台であって、
前記ボビン及びカバー体が基板に係止される係止手段は、係止山部の外周面に設けた凸部又は凹部でなる嵌合係止部と、この係止山部の凸部又は凹部に嵌合する前記ボビンの内周面に設けた凹部又は凸部でなる嵌合係止部と、このボビンの凹部又は凸部に嵌合する前記センター穴部のカバー体の内周部の筒部に設けた凸部又は凹部でなる嵌合係止部とによる構成とした草刈り・稲刈り用の刃物台である。
【００２５】
請求項５の発明は、次の「チ」、「リ」の目的を意図する。
【００２６】
「チ」  基板とカバー体との回り止めを、ねじを介して図る構造を提供する。
【００２７】
「リ」  請求項１の「イ」〜「ハ」の目的を達成することを意図する。
【００２８】
請求項５は、請求項１に記載の草刈り・稲刈り用の刃物台であって、
前記ボビン及びカバー体が基板に係止される係止手段は、係止山部の外周面に設けたねじでなる嵌合係止部と、前記ボビンの内周面に設けたねじでなる嵌合係止部と、前記センター穴部の内周部の筒部に設けたねじでなる嵌合係止部とによる構成とした草刈り・稲刈り用の刃物台である。
【００２９】
請求項６の発明は、次の「ヌ」、「ル」の目的を意図する。
【００３０】
「ヌ」  基板の空冷と、振動を解消でき、軽量化による動作時の省エネルギー化を図る構造を提供する。
【００３１】
「ル」  請求項１の「イ」〜「ハ」の目的を達成することを意図する。
【００３２】
請求項６は、請求項１に記載の草刈り・稲刈り用の刃物台であって、
前記基板に複数の穴を開口する構成とした草刈り・稲刈り用の刃物台である。
【発明の効果】
【００３３】
請求項１の発明は、センターに取付け孔を開設した基板には、その上面に複数本のガイドピン、及びガイドピンの内側に係止山部をそれぞれ突出して形成し、
基板の係止山部には、ナイロンカッタを捲装したボビンが係止される係止手段の嵌合係止部を設け、
また基板に取付けられるカバー体には、係止山部の挿入を許すセンター穴部を中央に形成するとともに、本体部にガイドピンに設けた鍔片に嵌合される嵌合部を設け、また本体部の裏面に複数の突起を形成する構成とした草刈り・稲刈り用の刃物台である。
【００３４】
従って、請求項１は、次の「イ」〜「ハ」の目的を達成できる特徴がある。
【００３５】
「イ」  ボビンを、基板に、簡易かつ迅速に着脱できる構造を提供できる。
【００３６】
「ロ」  ボビン及びナイロンカッタを開放状態に装着し、このナイロンカッタの溶着（融着）防止が図れる構造を提供できる。
【００３７】
「ハ」  溶着回避を図ることで、部品の無駄をなくし、また長期の使用と、修理の手間を皆無とすること等が図れる構造を提供できる。
【００３８】
請求項２の発明は、請求項１に記載の草刈り・稲刈り用の刃物台であって、
ガイドピンの自由端に設けた方形状の鍔片に、カバー体に設けた方形状の嵌合部を係脱可能に設ける構成とした草刈り・稲刈り用の刃物台である。
【００３９】
請求項３の発明は、請求項１に記載の草刈り・稲刈り用の刃物台であって、
ガイドピンの自由端に設けた環状形状の鍔片に、カバー体に設けた半月状の切欠き溝でなる嵌合部を介し、係脱可能に設ける構成とした草刈り・稲刈り用の刃物台である。
【００４０】
従って、請求項２・３は、次の「ニ」、「ホ」の目的を達成できる。
【００４１】
「ニ」  基板とカバー体との係脱の確実性を確保する嵌合部の構造を提供できる。
【００４２】
「ホ」  請求項１の「イ」〜「ハ」の目的を達成できる。
【００４３】
請求項４の発明は、請求項１に記載の草刈り・稲刈り用の刃物台であって、
ボビン及びカバー体が基板にが係止される係止手段は、係止山部の外周面に設けた凸部又は凹部でなる嵌合係止部と、係止山部の凸部又は凹部に嵌合するボビンの内周面に設けた凹部又は凸部でなる嵌合係止部と、ボビンの凹部又は凸部に嵌合するセンター穴部の内周部の筒部に設けた凸部又は凹部でなる嵌合係止部とによる構成とした草刈り・稲刈り用の刃物台である。
【００４４】
従って、請求項４は、次の「ヘ」、「ト」の目的を達成できる。
【００４５】
「ヘ」  基板とカバー体との回り止めを、嵌合を介して図る構造を提供できる。
【００４６】
「ト」  請求項１の「イ」〜「ハ」の目的を達成できる。
【００４７】
請求項５の発明は、請求項１に記載の草刈り・稲刈り用の刃物台であって、
ボビン及びカバー体が基板にが係止される係止手段は、係止山部の外周面に設けたねじでなる嵌合係止部と、ボビンの内周面に設けたねじでなる嵌合係止部と、センター穴部の内周部の筒部に設けたねじでなる嵌合係止部とによる構成とした草刈り・稲刈り用の刃物台である。
【００４８】
従って、請求項５は、次の「チ」、「リ」の目的を達成できる。
【００４９】
「チ」  基板とカバー体との回り止めを、ねじを介して図る構造を提供できる。
【００５０】
「リ」  請求項１の「イ」〜「ハ」の目的を達成できる。
【００５１】
請求項６の発明は、請求項１に記載の草刈り・稲刈り用の刃物台であって、
基板に複数の穴を開口する構成とした草刈り・稲刈り用の刃物台である。
【００５２】
従って、請求項６は、次の「ヌ」、「ル」の目的を達成できる。
【００５３】
「ヌ」  基板の空冷と、振動を解消でき、軽量化による動作時の省エネルギー化を達成できる構造を提供できる。
【００５４】
「ル」  請求項１の「イ」〜「ハ」の目的を達成できる。
【発明を実施するための最良の形態】
【００５５】
本発明の一例を説明する。
【００５６】
図面の説明をする。
【００５７】
図１〜図９は、基板の係止山部と、ボビン、並びにカバー体を嵌合方式で、組付ける構造の一例を示した各図であり、：  図１〜図３は、ガイドピンの鍔片が方形状（直方体）であり、その嵌合部が同形状となった構造であり、図１は分解斜視図、図２は係止山部にボビンを嵌合した斜視図、図３は係止山部と、ボビン、並びにカバー体が嵌合した状態の斜視図を示す、：  次に図４〜図６は、ガイドピンの鍔片が方形状（略立方体「扁平立方体」）であり、その嵌合部が同形状となった構造であり、図４は分解斜視図、図５は係止山部にボビンを嵌合した斜視図、図６は係止山部と、ボビン、並びにカバー体が嵌合した状態の斜視図を示す、：  最後に図７〜図９は、ガイドピンの鍔片が環状形状（ガイドピンより突出した円盤）であり、その嵌合部が長溝及び／又は係止溝（切欠き溝）となった構造であり、図７は分解斜視図、図８は係止山部にボビンを嵌合した斜視図、図９は係止山部と、ボビン、並びにカバー体が嵌合した状態の斜視図を示すものである。
【００５８】
図１０−１〜図１０−３は、鍔片が方形状（直方体）であり、その嵌合部が同形状となった構造を示しており、この図１０−１はガイドピンと方形状の鍔片を拡大して示した斜視図、図１０−２はカバー体の本体部に設けた嵌合部の一例を示した拡大斜視図、図１０−３はカバー体の本体部に設けた嵌合部の他の一例を示した拡大斜視図である。また図１１−１〜図１１−３は、鍔片が方形状（略立方体）であり、その嵌合部が同形状となった構造を示しており、この図１１−１はガイドピンと方形状の鍔片を拡大して示した斜視図、図１１−２はカバー体の本体部に設けた嵌合部の一例を示した拡大斜視図である。さらに図１２−１〜図１２−３は、鍔片が環状形状（円盤）であり、その嵌合部が同形状となった構造を示しており、この図１２−１はガイドピンと円盤の鍔片を拡大して示した斜視図、図１２−２はカバー体の本体部に設けた嵌合部の一例を示した拡大斜視図である。
【００５９】
図１３は図１４〜図２２に示したボビンの他の一例を示した斜視図である。
【００６０】
図１４〜図２２は、基板の係止山部と、ボビン、並びにカバー体をねじ方式で、組付ける構造の一例を示した各図であり、：  図１４〜図１６は、ガイドピンの鍔片が方形状（直方体）であり、その嵌合部が同形状となった構造であり、図１４は分解斜視図、図１５は係止山部にボビンを嵌合した斜視図、図１６は係止山部と、ボビン、並びにカバー体が嵌合した状態の斜視図を示す、：  次に図１７〜図１９は、ガイドピンの鍔片が方形状（略立方体「扁平立方体」）であり、その嵌合部が同形状となった構造であり、図１７は分解斜視図、図１８は係止山部にボビンを嵌合した斜視図、図１９は係止山部と、ボビン、並びにカバー体が嵌合した状態の斜視図を示す、：  最後に図２０〜図２２は、ガイドピンの鍔片が環状形状（ガイドピンより突出した形状）であり、その嵌合部が長溝及び／又は係止溝（切欠き溝）となった構造であり、図２０は分解斜視図、図２１は係止山部にボビンを嵌合した斜視図、図２２は係止山部と、ボビン、並びにカバー体が嵌合した状態の斜視図を示すものである。
【００６１】
先ず、図１〜図９に示した第一実施例に関して説明すると、図中１は、センター１ａに取付け孔１００を開設した基板で、この基板１は草刈り・稲刈り用の刃物台Ａの主要部を構成する。そして、この基板１は、草刈り機（図示せず）の回転円盤Ｂ（図示せず）、又は取付け台（回転円盤Ｂとする）に取付けられ、この回転円盤Ｂとともに回転する。そして、この基板１は、前記取付け孔１００及び／又は取付け軸（図示せず）を利用して、回転円盤Ｂに取付けられる。またこの一例では、基板１の略１／２を占めるセンター１ａに、円錐形状の係止山部１０１（膨出部）を膨出し、この係止山部１０１を囲繞するように（外周部位１ｃ）に平坦部１０２を形成する。この係止山部１０１の下側の略半分を垂直片部１０１ａとし、この垂直片部１０１ａに、係止手段の一方となる凸部又は凹部の嵌合係止部１０３を複数個設ける。またこの基板１の平坦部１０２の上面には、略対峙する位置に、少なくとも対（二本又は複数本）のガイドピン２を突出形成する。従って、前述した係止山部１０１は、ガイドピン２の内側に形成される構造となる。そして、このガイドピン２は、係止山部１０１より低く形成し、このガイドピン２及び係止山部１０１を利用して、後述するカバー体を設ける構成とする。また基板１には、複数個の孔１０４を開設する構造を採用することで、例えば、語述するナイロンカッタ等の溶着回避及び／又は基板１・後述するボビン、カバー体等と、空間部における蓄熱回避、また装置全体の軽量化、動力の節約化等に有効である。
【００６２】
このガイドピン２の構成を説明すると、このガイドピン２は、本体部２００と、この本体部２００の自由端２００ａに設けた、略方形形状の鍔片２０１とで構成する。そして、このガイドピン２の鍔片２０１を利用して後述するカバー体４が取付けられる。このカバー体４の取付けと、構造は後述する。尚、鍔片２０１は、図１〜図３が、直方体で、また図４〜図６が、略立方体で、さらに図７〜図９が、円盤であり、原則として、取扱、目的、並びに機構等は同じである。
【００６３】
カバー体４は、ボビン６の離脱防止を意図して取付けられる。このカバー体４は、環状形状の本体部４００と、この本体部４００の中心に開設したセンター穴部４０１と、このセンター穴部４０１より垂下した筒部４０２で構成されており、この筒部４０２の内周面には、係止手段の他方となる凹部又は凸部の嵌合係止部４０３を複数個設ける。そして、このセンター穴部４０１を、前記係止山部１０１に套嵌するが、この際に、凹部（凸部）又は凸部（凹部）の嵌合係止部４０３が凸部（凹部）又は凹部（凸部）の嵌合係止部１０３の上部に係止被嵌される。この係止被嵌を介して、後述するボビン６の離脱防止及び／又は安定係止を図る。また本体部４００には、膨出形成した嵌合部４０４を設けてあり、この嵌合部４０４には（前記の如く、基板１の嵌合係止部１０３の上部に、カバー体４の嵌合係止部４０４が嵌合された状態で）、前記ガイドピン２の本体部２００及び／又は鍔片２０１が嵌入される。そして、この嵌合部４０４の構造を詳細に説明すると、嵌合部４０４は、カバー体４に膨出形成した山形突部４ａと、この山形突部４ａに設けた弾性止め具７とで構成し、この弾性止め具７は、対のスプリング７００と、この対のスプリング７００を適宜間隔出支持する支持杆７０１で構成し、このスプリング７００の拡縮を介して、鍔片２０１の下側に潜り込み、また本体部２００を抱持するか、又は外周面に添接される。この潜り込みと抱持とを介して、基板１にカバー体４が取付けられる。従って、このカバー体４は、基板１とともに回転する。またこのカバー体４の取外しは、カバー体４を強制的に持上げるか、引き下げることで、スプリング７００が拡開し、鍔片２０１を跨ぐことで、離脱される。この弾性止め具７は、図１０−２、図１０−３が、直方体の鍔片２０１に対応可能な一例であり、図１１−２、図１１−３が、略立方体の鍔片２０１に対応可能な一例であり、また図１２−２、図１２−３が、円盤の鍔片２０１に対応可能な一例であり、何れも好ましい各例であり、弾性を備えた構造で、かつ嵌合部４０４が、鍔片２０１に対応可能な構造であれば限定されない。尚、図７〜図９に示した実施例では、ガイドピン２の本体部２００と鍔片２０１の形状を利用して、カバー体４に設けた係止溝４０６−１と、曲面状の長溝４０６−２とでなる半月状の切欠き溝４０６を嵌合部として利用して、鍔片２０１を、長溝４０６−２に係止する構造も採用できる。勿論、切欠き溝４０６は、反回転方向が望ましい。この考え方は、図示しないが、図１〜図６の例にも採用できる。また、円盤の鍔片２０１には、図１２−２の如く、カバー体４に膨出形成した山形突部４ａと、この山形突部４ａに設けた弾性止め具７（対のスプリング７００と、この対のスプリング７００を適宜間隔出支持する支持杆７０１とで構成）とで構成した嵌合部４０４を係止することも可能である。
【００６４】
尚、カバー体４の裏面４ａには適宜間隔をおいて、ナイロンカッタ係止筒部４０５が設けられており、この係止筒部４０５を介して、後述するナイロンカッタの繰出し長さと、繰出し部位を決定する。例えば、ある係止筒部４０５−１より繰出されて、この係止筒部４０５−１を基点しているナイロンカッタ８−１として、機能している状態で、例えば、このナイロンカッタ８−１が磨耗かつ切断等のより、短くなった場合は、次の係止筒部４０５−２から離脱するので、このナイロンカッタ８−１は、係止筒部４０５−１を基点して、役割を果たしえない。しかし、この次のナイロンカッタ８−２が、次の係止筒部４０５−２より繰出されて、この次の係止筒部４０５−２を基点しているナイロンカッタ８−２として、機能し、この次のナイロンカッタ８−２は、係止筒部４０５−２を基点して、役割を果す構造となっている。即ち、最後のナイロンカッタ８−ｎに向かって、順次、前述の繰出しと、順次基点が変更される構造である。
【００６５】
この例におけるボビン６は、環状形状であり、基板１の複数のガイトピン２の内側に設けられる。そして、このボビン６の内周筒部６ａには、凹部（凸部）又は凸部（凹部）の嵌合係止部６００が形成されており、この嵌合係止部６００は、基板１の凸部又は凹部の嵌合係止部１０３の下部に係止被嵌される。従って、このボビン６は、基板１とともに回転する。そして、図中６０１は外周面に設けた溝、６０２は係止等の切欠きであり、この溝６０１及び／又は切欠き６０２を利用して、ナイロンカッタ８が捲装される。そして、溝６０１を、溝６０１間に設けた突条６０１ａ、また切欠き６０１ｂ等を介して、分割する構造は、ボビン６及び／又はナイロンカッタ８の溶着回避及び／又は蓄熱回避、また軽量化、動力の節約化等に有効である。
【００６６】
図１３は、ボビン６の他の構造を示しており、ボビン６の適所に、孔６０３を設けて、ナイロンカッタ８の係止孔、貫通孔としての利用と、溶着回避及び／又は蓄熱回避、また軽量化、動力の節約化等に有効である。
【００６７】
次に、図１４〜図２２に示した第二実施例に関して説明すると、この第二実施例は、基本的な構造は、第一実施例に準ずるので、相違点を説明する。この第二実施例では、基板１の垂直片部１０１ａにねじ１０を刻設する。またカバー体４の筒部４０２にねじ１１を刻設する、従って、カバー体４のねじ１１が、基板１のねじ１００の上部に螺合（噛合）される。そして、この螺合時に、基板１の鍔片２０１は、カバー体４の嵌合部４０４に嵌合係止される。尚、ボビン６の内周筒部６ａにはねじ１２が刻設されており、このねじ１２は、基板１のねじ１００の下部に螺合される。その他の構造は、前述の第一実施例に準ずる。
【図面の簡単な説明】
【００６８】
【図１】図１は、基板の係止山部と、ボビン、並びにカバー体を嵌合方式で組付ける構造であり、この図１は、ガイドピンの鍔片が方形状（直方体）であり、その嵌合部が同形状となった構造の分解斜視図
【図２】図２は、図１の係止山部にボビンを嵌合した斜視図
【図３】図３は、図１の係止山部と、ボビン、並びにカバー体が嵌合した状態の斜視図
【図４】図４は、基板の係止山部と、ボビン、並びにカバー体を嵌合方式で組付ける構造であり、この図４は、ガイドピンの鍔片が方形状（略立方体）であり、その嵌合部が同形状となった構造の分解斜視図
【図５】図５は、図４の係止山部にボビンを嵌合した斜視図
【図６】図６は、図４の係止山部と、ボビン、並びにカバー体が嵌合した状態の斜視図
【図７】図７は、基板の係止山部と、ボビン、並びにカバー体を嵌合方式で組付ける構造であり、この図７は、ガイドピンの鍔片が環状形状（ガイドピンより突出した円盤）であり、その嵌合部が切欠き溝となった構造の分解斜視図
【図８】図８は、図７の係止山部にボビンを嵌合した斜視図
【図９】図９は、図７の係止山部と、ボビン、並びにカバー体が嵌合した状態の斜視図
【図１０−１】図１０−１は、鍔片が方形状（直方体）であり、その嵌合部が同形状となった構造を示しており、この図１０−１はガイドピンと方形状の鍔片を拡大して示した斜視図、
【図１０−２】図１０−２はカバー体の本体部に設けた嵌合部の一例を示した拡大斜視図
【図１０−３】図１０−３は、カバー体の本体部に設けた嵌合部の他の一例を示した拡大斜視図である。
【図１１−１】図１１−１は、鍔片が方形状（略立方体）であり、その嵌合部が同形状となった構造を示しており、この図１１−１はガイドピンと方形状の鍔片を拡大して示した斜視図
【図１１−２】図１１−２は、カバー体の本体部に設けた嵌合部の一例を示した拡大斜視図
【図１２−１】図１２−１は、鍔片が環状形状（円盤）であり、その嵌合部が同形状となった構造を示しており、この図１２−１はガイドピンと円盤の鍔片を拡大して示した斜視図
【図１２−２】図１２−２はカバー体の本体部に設けた嵌合部の一例を示した拡大斜視図
【図１３】図１３は、図１４〜図２２に示したボビンの他の一例を示した斜視図
【図１４】図１４は、基板の係止山部と、ボビン、並びにカバー体をねじ方式で組付ける構造であり、この図１４は、ガイドピンの鍔片が方形状（直方体）であり、その嵌合部が同形状となった構造の分解斜視図
【図１５】図１５は、図１４の係止山部にボビンを嵌合した斜視図
【図１６】図１６は、図１４の係止山部と、ボビン、並びにカバー体が嵌合した状態の斜視図
【図１７】図１７は、基板の係止山部と、ボビン、並びにカバー体をねじ方式で組付ける構造であり、この図１７は、ガイドピンの鍔片が方形状（略立方体）であり、その嵌合部が同形状となった構造の分解斜視図
【図１８】図１８は、図１７の係止山部にボビンを嵌合した斜視図
【図１９】図１９は、図１７の係止山部と、ボビン、並びにカバー体が嵌合した状態の斜視図
【図２０】図２０は、基板の係止山部と、ボビン、並びにカバー体をねじ方式で組付ける構造であり、この図２０は、ガイドピンの鍔片が環状形状（ガイドピンより突出した円盤）であり、その嵌合部が切欠き溝となった構造の分解斜視図
【図２１】図２１は、図２０の係止山部にボビンを嵌合した斜視図
【図２２】図２２は、図２０の係止山部と、ボビン、並びにカバー体が嵌合した状態の斜視図
【符号の説明】
【００６９】
１                基板
１ａ              センター
１ｃ              外周部位
１００            取付け孔
１０１            係止山部
１０１ａ          垂直片部
１０２            平坦部
１０３            嵌合係止部
１０４            孔
２                ガイドピン
２００            取付け部
２００ａ          自由端
２０１            鍔片
４                カバー体
４ａ              山形突部
４００            本体部
４０１            センター穴部
４０２            筒部
４０３            嵌合係止部
４０４            嵌合部
４０５            係止筒部
４０５−１        係止筒部
４０５−２        係止筒部
４０６            切欠き溝
４０６−１        係止溝
４０６−２        長溝
６                ボビン
６ａ              内周筒部
６００            嵌合係止部
６０１            溝
６０１ａ          突条
６０１ｂ          切欠き
６０２            切欠き
６０３            孔
７                弾性止め具
７００            スプリング
７０１            支持杆
８                ナイロンカッタ
８−１            ナイロンカッタ
８−２            ナイロンカッタ
１０              ねじ
１１              ねじ
１２              ねじ
Ａ                刃物台
【図１】
2008263854.tif 000003
【図２】
2008263854.tif 000004
【図３】
2008263854.tif 000005
【図４】
2008263854.tif 000006
【図５】
2008263854.tif 000007
【図６】
2008263854.tif 000008
【図７】
2008263854.tif 000009
【図８】
2008263854.tif 000010
【図９】
2008263854.tif 000011
【図１０−１】
2008263854.tif 000012
【図１０−２】
2008263854.tif 000013
【図１０−３】
2008263854.tif 000014
【図１１−１】
2008263854.tif 000015
【図１１−２】
2008263854.tif 000016
【図１２−１】
2008263854.tif 000017
【図１２−２】
2008263854.tif 000018
【図１３】
2008263854.tif 000019
【図１４】
2008263854.tif 000020
【図１５】
2008263854.tif 000021
【図１６】
2008263854.tif 000022
【図１７】
2008263854.tif 000023
【図１８】
2008263854.tif 000024
【図１９】
2008263854.tif 000025
【図２０】
2008263854.tif 000026
【図２１】
2008263854.tif 000027
【図２２】
2008263854.tif 000028